(57)【要約】【課題】  電力供給が安定的になされるように電力供給構造を改善し、改善された電力供給構造においても室外ユニット及び室内ユニットのリセットが效率よくできる空気調和機及びその制御方法を提供する。【解決手段】  本発明に係る空気調和機は、複数台の室内ユニットが通信回線を通じて単一の室外ユニットに連結されて運用されるマルチ型空気調和機において、室外ユニット、少なくとも一つの室内ユニット、及びリセット制御部を含む。前記室外ユニットには少なくとも一つの室内ユニットが通信回線を通じて連結される。前記リセット制御部は室外ユニットと少なくとも一つの室内ユニットごとに独立的に備えられ、通信回線を通じて転送されるリセット信号を受信して室外ユニットまたは少なくとも一つの室内ユニットをリセットさせる。【選択図】      図１
2005140489.tif 000002
【特許請求の範囲】
【請求項１】
室外ユニットと；
通信回線を通じて前記室外ユニットに連結される少なくとも一つの室内ユニットと；
前記室外ユニットと少なくとも一つの室内ユニットごとに独立的に設けられて前記通信回線を通じて転送されるリセット信号を受信し、前記室外ユニット及び前記少なくとも一つの室内ユニットのうち少なくとも一つをリセットさせるリセット制御部とを含む空気調和機。
【請求項２】
前記室外ユニットから発生したリセット信号に応じて前記少なくとも一つの室内ユニットがリセットされ；
前記少なくとも一つの室内ユニットから発生したリセット信号に応じて前記室外ユニットがリセットされることを特徴とする請求項１に記載の空気調和機。
【請求項３】
複数の室内ユニットが備えられ、これら複数の室内ユニットのうち少なくとも一つがマスタ室内ユニットと設定され；
前記マスタ室内ユニットが前記室外ユニットをリセットさせるためのリセット信号を発生させることを特徴とする請求項２に記載の空気調和機。
【請求項４】
前記室外ユニットと前記少なくとも一つの室内ユニットはそれぞれ制御部を備え；
前記リセット信号は前記それぞれの制御部をリセットさせるための信号であることを特徴とする請求項１に記載の空気調和機。
【請求項５】
前記リセット信号は、リセットする前記室外ユニット及び室内ユニットのうち少なくとも一つのアドレスを含み；
前記アドレスで指定された室外ユニットまたは室内ユニットだけが前記リセット信号に応答してリセットされることを特徴とする請求項４に記載の空気調和機。
【請求項６】
前記リセット信号は、前記通信回線を通じて転送される他の一般の通信信号と差別化するように固有の電気的特性を持つことを特徴とする請求項１に記載の空気調和機。
【請求項７】
前記室外ユニットは、前記通信回線を通じて入力される通信信号に前記リセット信号が含まれているか否か判別し、前記リセット信号が含まれたものと判断されたら第１リセット制御信号を発生させる第１リセット制御部を含み；
前記少なくとも一つの室内ユニットは、前記通信回線を通じて入力される通信信号に前記リセット信号が含まれているか否か判別し、前記リセット信号が含まれているものと判断されたら第２リセット制御信号を発生させる第２リセット制御部を含むことを特徴とする請求項６に記載の空気調和機。
【請求項８】
前記第１及び第２リセット制御部はそれぞれ、
前記リセット信号と同じ電気的特性を持つ基準信号が入力され、前記通信回線を通じて転送される通信信号を受信し、前記基準信号と前記通信信号とを比較してお互い一致すると前記リセット信号が発生したものと判断して前記リセット制御信号を発生させる比較器を含むことを特徴とする請求項７に記載の空気調和機。
【請求項９】
前記第１及び第２リセット制御部はそれぞれ、
前記通信回線を通じて転送される通信信号を受信し、前記受信される通信信号が前記リセット信号と同じ電気的特性を持つとき励磁されてターンオンされることによって、それぞれ前記第１リセット制御信号と前記第２リセット制御信号を発生させる遅延リレーを含むことを特徴とする請求項７に記載の空気調和機。
【請求項１０】
前記リセット信号の電気的特性は、あらかじめ定められた時間の間保持される一定のレベルの電圧信号を含むことを特徴とする請求項９に記載の空気調和機。
【請求項１１】
前記少なくとも一つの室内ユニットは、前記室内ユニット自分の制御部をリセットさせるための第１リセット駆動信号を発生させる第１リセット駆動部をさらに含み；
前記第１リセット駆動部は、前記第１リセット制御部から発生される前記第１リセット制御信号に応答して前記第１リセット駆動信号を発生させることを特徴とする請求項７に記載の空気調和機。
【請求項１２】
前記室外ユニットは、前記室外ユニット自分の制御部をリセットさせるための第２リセット駆動信号を発生させる第２リセット駆動部をさらに含み；
前記第２リセット駆動部は、前記第２リセット制御部から発生される前記第２リセット制御信号と供給電源のあらかじめ設定された変化のうち少なくとも一つに応答して前記第２リセット駆動信号を発生させることを特徴とする請求項７に記載の空気調和機。
【請求項１３】
少なくとも一つの室内ユニットが通信回線を通じて室外ユニットに連結され、前記室外ユニットと前記少なくとも一つの室内ユニットごとに独立的に電源が供給され、前記室外ユニットと前記少なくとも一つの室内ユニットは前記通信回線を通じて転送されるリセット信号を受信することによってリセットされる空気調和機の制御方法において、
前記室外ユニットと前記少なくとも一つの室内ユニットのうち少なくとも一つによりリセット信号が発生されて前記通信回線を通じて転送され；
前記室外ユニットと前記少なくとも一つの室内ユニットのうち残りの一つが前記通信回線を通じて転送されるリセット信号を受信することによってリセットされることを特徴とする空気調和機の制御方法。
【請求項１４】
前記少なくとも一つの室内ユニットが第１制御部、第１リセット制御部、及び第１リセット駆動部を含む空気調和機の制御方法において、
前記第１制御部により前記少なくとも一つの室内ユニットの全般的な動作が制御され；
前記第１リセット制御部により、前記通信回線を通じて入力される通信信号に前記リセット信号が含まれているか否か判別し、前記リセット信号が含まれたものと判断されたら第１リセット制御信号を発生させ；
前記第１リセット制御部から発生する前記第１リセット制御信号に応答して前記第１リセット駆動部が前記第１リセット駆動信号を発生させて前記第１制御部をリセットさせることを特徴とする請求項１３に記載の空気調和機の制御方法。
【請求項１５】
前記室外ユニットが第２制御部、第２リセット制御部、及び第２リセット駆動部を含む空気調和機の制御方法において、
前記第２制御部により、前記少なくとも一つの室外ユニットの全般的な動作が制御され；
前記第２リセット制御部により、前記通信回線を通じて入力される通信信号に前記リセット信号が含まれているか否か判別し、前記リセット信号が含まれたものと判断されたら第２リセット制御信号を発生させ；
前記第２リセット制御部から発生する前記第２リセット制御信号と供給電源のあらかじめ設定された変化のうち少なくとも一つに応答して前記第２リセット駆動部が前記第２リセット駆動信号を発生させて前記第２制御部をリセットさせることを特徴とする請求項１３に記載の空気調和機。
【請求項１６】
リセットする室外ユニット及び少なくも一つの室内ユニットのうち一つのアドレスを前記リセット信号に付与し；
前記アドレスで指定された室外ユニットまたは少なくとも一つの室内ユニットだけが前記リセット信号に応答してリセットされることを特徴とする請求項１３に記載の空気調和機の制御方法。
【請求項１７】
少なくとも一つの室内ユニットが通信回線を通じて室外ユニットに連結され、前記室外ユニットと前記少なくとも一つの室内ユニットごとに独立的に電源が供給され、前記室外ユニットと前記少なくとも一つの室内ユニットは前記通信回線を通じて転送されるリセット信号を受信することによってリセットされる空気調和機の制御方法において、
前記室外ユニットと前記少なくとも一つの室内ユニットの電源供給が中断されてから再開される時、前記電源供給の再開とともに前記室外ユニットが先にリセットされ；
リセットされた前記室外ユニットが前記少なくとも一つの室内ユニットをリセットさせることを特徴とする空気調和機の制御方法。
【請求項１８】
前記少なくとも一つの室内ユニットは複数の室内ユニットからなり、前記リセットにより再起動された前記室外ユニットは前記複数の室内ユニットをトラッキングしながら前記複数の室内ユニットをリセットさせることを特徴とする請求項１７に記載の空気調和機の制御方法。
【請求項１９】
前記少なくとも一つの室内ユニットが第１制御部、第１リセット制御部、及び第１リセット駆動部を含む空気調和機の制御方法において、
前記第１制御部により、前記少なくとも一つの室内ユニットの全般的な動作が制御され；
前記第１リセット制御部により、前記通信回線を通じて入力される通信信号に前記リセット信号が含まれているか否か判別し、前記リセット信号が含まれたものと判断されたら第１リセット制御信号を発生させ；
前記第１リセット制御部から発生する前記第１リセット制御信号に応答して前記第１リセット駆動部が前記第１リセット駆動信号を発生させて前記第１制御部をリセットさせることを特徴とする請求項１７に記載の空気調和機の制御方法。
【請求項２０】
前記室外ユニットが第２制御部、第２リセット制御部、及び第２リセット駆動部を含む空気調和機の制御方法において、
前記第２制御部により、前記少なくとも一つの室外ユニットの全般的な動作が制御され；
前記第２リセット制御部により、前記通信回線を通じて入力される通信信号に前記リセット信号が含まれているか否か判別し、前記リセット信号が含まれたものと判断されたら第２リセット制御信号を発生させ；
前記第２リセット制御部から発生する前記第２リセット制御信号と供給電源のあらかじめ設定された変化のうち少なくとも一つに応答して前記第２リセット駆動部が前記第２リセット駆動信号を発生させて前記第２制御部をリセットさせることを特徴とする請求項１７に記載の空気調和機。
【請求項２１】
複数の室内ユニットが通信回線を通じて室外ユニットに連結され、前記室外ユニットと前記複数の室内ユニットごとに独立的に電源が供給され、前記室外ユニットと前記複数台の室内ユニットは前記通信回線を通じて転送されるリセット信号を受信することによってリセットされる空気調和機の制御方法において、
前記複数の室内ユニットのうち少なくとも一つをマスタ室内ユニットとして設定し；
前記室外ユニットが前記複数の室内ユニットをリセットさせるためのリセット信号を発生しない場合、前記マスタ室内ユニットが前記室外ユニットをリセットさせるためのリセット信号を発生させ；
前記マスタ室内ユニットから発生されたリセット信号を受信することによって前記室外ユニットがリセットされることを特徴とする空気調和機の制御方法。
【請求項２２】
リセットする室外ユニットまたは複数の室内ユニットのうち一つのアドレスを前記リセット信号に付与し；
前記アドレスで指定された室外ユニットまたは複数の室内ユニットのうち一つだけが前記リセット信号に応答してリセットされることを特徴とする請求項２１に記載の空気調和機の制御方法。
【請求項２３】
室外ユニットと；
通信回線を通じて前記室外ユニットに連結される少なくとも一つの室内ユニットと；
前記室外ユニットと前記少なくとも一つの室内ユニットそれぞれに独立的に電源が供給されるようにする電源供給装置とを含む空気調和機。
【請求項２４】
前記室外ユニットの電源供給装置は、前記室外ユニットから要求される電力量に相応する大きさの電源を供給することを特徴とする請求項２３に記載の空気調和機。
【請求項２５】
前記室外ユニットと室内ユニットに供給される電源の異常発生時、前記室外ユニットまたは室内ユニットへの電源供給を遮断するように前記室外ユニットと前記少なくとも一つの室内ユニットごとに独立的に備えられる遮断器をさらに含むことを特徴とする請求項２３に記載の空気調和機。
【請求項２６】
室外ユニットと；
通信回線を通じて前記室外ユニットに連結される少なくとも一つの室内ユニットと；
前記室外ユニットと前記少なくとも一つの室内ユニットそれぞれに独立的に電源が供給されるようにする電源供給装置と；
前記室外ユニットと室内ユニットごとに独立的に備えられて前記通信回線を通じて転送されるリセット信号を受信して前記室外ユニットまたは前記少なくとも一つの室内ユニットをリセットさせるリセット制御部とを含む空気調和機。
【請求項２７】
室外ユニットと；
通信回線を通じて前記室外ユニットに連結される少なくとも一つの室内ユニットと；
前記室外ユニットと前記少なくとも一つの室内ユニットにそれぞれ備えられ、前記通信回線を通じて転送されるリセット信号を受信して前記室外ユニットまたは前記少なくとも一つの室内ユニットをリセットさせる手段とを含む空気調和機。
【請求項２８】
前記手段は、
前記通信回線を通じて入力される通信信号に前記リセット信号が含まれているか否か判別し、前記リセット信号が含まれたものと判断されたら第１リセット制御信号を発生させる前記少なくとも一つの室内ユニットの受信手段と；
前記通信回線を通じて入力される通信信号に前記リセット信号が含まれているか否か判別し、前記リセット信号が含まれたものと判断されたら第２リセット制御信号を発生させる前記室外ユニットの受信手段とを含むことを特徴とする請求項２７に記載の空気調和機。
【請求項２９】
前記少なくとも一つの室内ユニットの受信手段及び前記室外ユニットの受信手段はそれぞれ、前記リセット信号として同一の電気的特性を有する基準信号を受信し、前記通信回線を通じて転送される前記通信信号を受信し、前記通信信号と基準信号とを比較してお互い一致すると前記リセット信号が発生したものと判断し、前記第１及び第２リセット制御信号を発生させることを特徴とする請求項２８に記載の空気調和機。
【発明の詳細な説明】
【技術分野】
【０００１】
本発明は、空気調和機に関し、特に、複数台の室内ユニットが通信回線と冷媒管を通じて一つの室外ユニットに連結されて運用されるマルチ型空気調和機に関する。
【背景技術】
【０００２】
複数台の室内ユニットが単一の通信回線を通じて単一の室外ユニットに連結されるマルチ型空気調和機では、室外ユニットと複数の室内ユニット間の円滑な通信のためにそれぞれの室内ユニットごとに固有のアドレスが設定される。室内ユニットのアドレス設定のために、それぞれの室内ユニットから室外ユニットに異なる値の臨時アドレスを転送すると、室外ユニットは受信された臨時アドレスを該当室内ユニットの固有アドレスとして設定するか、受信された臨時アドレスに対応する別途の固有アドレスを発生させて該当室内ユニットに付与する。
【０００３】
かかるマルチ型空気調和機において室外ユニットと全ての室内ユニットはそれぞれ一つの通信回線と電源ラインを通じて通信し、電源の供給を受ける。通信と電源供給は室外ユニットが担当するが、特に、それぞれの室内ユニットごとに備えられる制御部(マイコン)が正常に動作しない場合、これを初期化するリセット動作ももた室外ユニットが主導する。
【０００４】
従来のマルチ型空気調和機における室外ユニットと室内ユニットのリセットは室外ユニットに供給される電源を遮断してから再び電源供給を再開することによってなるが、このような室外ユニット主導の一括的リセットは、室外ユニットと複数の室内ユニットが単一の電源ラインを通じて電源の供給を受ける仕組みとなっているゆえに可能である。
【発明の開示】
【発明が解決しようとする課題】
【０００５】
本発明に係る空気調和機及びその制御方法は、複数台の室内ユニットが通信回線を通じて単一の室外ユニットに連結されて運用されるマルチ型空気調和機において、電力供給が安定的にできるように電力供給構造を改善し、改善された電力供給構造においても室外ユニット及び複数の室内ユニットのリセットが效率よく行われるようにすることにその目的がある。
【課題を解決するための手段】
【０００６】
上記の目的を達成するために、本発明に係る空気調和機は、室外ユニット、少なくとも一つの室内ユニット、及びリセット制御部を含む。室外ユニットには少なくとも一つの室内ユニットが通信回線を通じて連結される。リセット制御部は室外ユニットと少なくとも一つの室内ユニットごとに独立的に備えられ、通信回線を通じて転送されるリセット信号を受信して室外ユニットまたは少なくとも一つの室内ユニットをリセットさせる。
【０００７】
このように構成される本発明に係る空気調和機の一制御方法では、室外ユニットと少なくとも一つの室内ユニットのうちいずれか一つがリセット信号を発生させて通信回線を通じて転送し、室外ユニットと少なくとも一つの室内ユニットのうち残りの一つが通信回線を通じて転送されるリセット信号を受信してリセットされる。
【０００８】
本発明に係る空気調和機の他の制御方法では、室外ユニットと少なくとも一つの室内ユニットの電源供給が中断されてから電源供給が再開される時、電源供給の再開とともに室外ユニットが先にリセットされ、リセットされた室外ユニットが少なくとも一つの室内ユニットをリセットさせる。
【０００９】
本発明に係る空気調和機のさらに他の制御方法では、複数の室内ユニットのうち少なくとも一つをマスタ室内ユニットと設定し、室外ユニットが複数の室内ユニットをリセットさせるためのリセット信号を発生しない時、前記マスタ室内ユニットが室外ユニットをリセットさせるためのリセット信号を発生させ、室外ユニットはマスタ室内ユニットから発生されたリセット信号を受信することによってリセットされる。
【００１０】
本発明に係る他の空気調和機は、室外ユニット、少なくとも一つの室内ユニット、及び電源供給装置を含む。室外ユニットには通信回線を通じて少なくとも一つの室内ユニットが連結され、電源供給装置は室外ユニットと少なくとも一つの室内ユニットそれぞれに独立的に電源が供給されるようにする。
【００１１】
また、上記の目的を達成するために、本発明に係る空気調和機は、前記室外ユニットと前記少なくとも一つの室内ユニットにそれぞれ備えられ、前記通信回線を通じて転送されるリセット信号を受信して前記室外ユニットまたは前記少なくとも一つの室内ユニットをリセットさせる手段を含む。前記手段は、前記通信回線を通じて入力される通信信号に前記リセット信号が含まれているか否か判別し、前記リセット信号が含まれたものと判断されたら第１リセット制御信号を発生させる前記少なくとも一つの室内ユニットの受信手段と、前記通信回線を通じて入力される通信信号に前記リセット信号が含まれているか否か判別し、前記リセット信号が含まれたものと判断されたら第２リセット制御信号を発生させる前記室外ユニットの受信手段である。
【発明の効果】
【００１２】
本発明に係る空気調和機及びその制御方法は、室外ユニットとそれぞれの室内ユニットに独立して電源供給ができるようにするため、室外ユニットの電源供給部の大きさが縮められ、且つ、室外ユニットの負担が軽減され、結果としてより安定的になる。さらに、上記のように改善された電力供給構造においても室外ユニット及び室内ユニットを選択的に個別リセットさせられるため、室外ユニットに備えられた圧縮器の余分の再起動時間が縮められ、再起動回数を大幅に減らすことができ、より有効になる。また、既存の通信回線をそのまま利用するため、個別電源供給構造でもリセットのための別途回線を増設しなくて済む。
【発明を実施するための最良の形態】
【００１３】
以下、本発明の実施例を添付図面を参照しつつ詳細に説明する。図面中、同一の構成要素には可能な限り同一の参照番号及び符号を共通使用し、周知技術については適宜説明を省略するものとする。
【００１４】
本発明の一実施例による空気調和機及びその制御方法を図１ないし図７を参照して説明すると、次の通りになる。まず、図１は、本発明の一実施例によるマルチ型空気調和機の構成を示すブロック図である。図１に示すように、複数の室内ユニット１０４ａ〜１０４ｈと単一の室外ユニット１０２は冷媒管１０８を通じて連結されることによって一つの冷媒サイクルを形成する。また、室外ユニット１０２と複数の室内ユニット１０４ａ〜１０４ｈは、一つの通信回線１０６を通じて共通連結され、室外ユニット１０２の主導で通信する。室外ユニット１０２と複数の室内ユニット１０４ａ〜１０４ｈごとに独立して電源供給装置(１１６及び１１０ａ〜１１０ｈ)が設けられ、室外ユニット１０２と複数の室内ユニット１０４ａ〜１０４ｈそれぞれに独立して電源が供給される。また、室外ユニット１０２と複数の室内ユニット１０４ａ〜１０４ｈごとに遮断器(Circuit
Breaker、１１２及び１１４ａ〜１１４ｈ)が連結され、室外ユニット１０２とそれぞれの複数の室内ユニット１０４ａ〜１０４ｈに供給される電源の異常(落雷や過電圧など)発生時に遮断器(１１２及び１１４ａ〜１１４ｈ)により室外ユニット１０２または複数の室内ユニット１０４ａ〜１０４ｈへの電源供給が遮断される。
【００１５】
このように、室外ユニット１０２と複数の室内ユニット１０４ａ〜１０４ｈそれぞれに電源供給装置(１１６及び１１０ａ〜１１０ｈ)と遮断器(１１２及び１１４ａ〜１１４ｈ)が備えられると、室外ユニット１０２の電源供給装置１１６は室外ユニット１０２から要求する大きさの電源供給能力だけを持てばよく、それぞれの室内ユニット１０４ａ〜１０４ｈの電源供給装置１１０ａ〜１１０ｈもまた、各室内ユニット１０４ａ〜１０４ｈが必要とする大きさの電源供給能力だけを持てばよい。したがって、室外ユニット１０２と複数の室内ユニット１０４ａ〜１０４ｈそれぞれに独立して電源が供給される構造は、室外ユニット１０２を介して各室内ユニット１０４ａ〜１０４ｈに電源が供給される構造に比べて、室外ユニット１０２の電源供給に対する負担を大きく軽減させることができる。のみならず、室外ユニット１０２と複数の室内ユニット１０４ａ〜１０４ｈごとに遮断器(１１２及び１１４ａ〜１１４ｈ)が備えられるため、電源供給の安全性問題は各室外ユニット１０２と複数の室内ユニット１０４ａ〜１０４ｈが自体的に負担するようになり、室外ユニット１０２の電源供給に対する安全性確保の負担も大きく軽減される。
【００１６】
図２Ａ及び図２Ｂは、図１に示した本発明の一実施例によるマルチ型空気調和機の室外ユニット１０２と複数の室内ユニット１０４ａ〜１０４ｈそれぞれの構成を示すブロック図であって、リセット制御に関連した構成要素を示す図である。ここで、リセットとは、室外ユニット１０２と複数の室内ユニット１０４ａ〜１０４ｈそれぞれに備えられる制御部(マイコン)が正常動作しない場合、これを強制的に初期化させて正常動作できるようにする動作のことをいう。
【００１７】
図２Ａ及び図２Ｂに示すように、本発明の一実施例によるマルチ型空気調和機の複数の室内ユニット１０４ａ〜１０４ｈと室外ユニット１０２それぞれにはリセット制御部２０２、２１２とリセット駆動部２０４、２１４、制御部２０６、２１６が備えられる。
【００１８】
リセット制御部２０２、２１２は、他の一般の通信信号とリセット信号とを区分し、リセット信号が受信されたらリセット制御信号２０２ａ、２１２ａを発生させる。制御部２０６、２１６はマイコンに該当し、複数の室内ユニット１０４ａ〜１０４ｈと室外ユニット１０２それぞれの全般的な動作を制御する。リセット駆動部２０４、２１４はリセット制御部２０２、２１２から発生するリセット制御信号２０２ａ、２１２ａに応答して制御部２０６、２１６をリセットさせる。特に、室外ユニット１０２のリセット駆動部２１４はリセット制御信号２１２ａの他に、図１に示した電源供給装置１１６を通じて入力される電源２０８の変化にも応答して室外ユニット１０２の制御部２１６をリセットさせる。ここで、電源２０８の変化の一例に、臨界レベル以下に落ちた電源電圧が臨界レベル以上に上昇することが挙げられる。
【００１９】
それぞれの制御部２０６、２１６には通信回線１０６が直接連結されるが、このような構造から、制御部２０６、２１６は現在通信回線１０６を通じて転送されるリセット信号が自分に該当するリセット信号か否か判断できる。仮に、現在通信回線を通じて転送されるリセット信号が自分に該当するのでなければ、制御部２０６、２１６はリセット信号の受信を拒否することによってリセット対象から除外される。
【００２０】
図３は、図１に示した本発明の一実施例によるマルチ型空気調和機の通信回線を通じて転送されるリセット信号の構成を示す図である。図３に示すように、リセット信号３０２の電気的特性は、一定のレベルの電圧信号(例えば、５Ｖ)があらかじめ定められた時間(tr)の間保持されることであるが、このリセット信号３０２固有の特性により、室外ユニット１０２と複数の室内ユニット１０４ａ〜１０４ｈ間に送受信される他の一般の通信信号とリセット信号３０２を区別付けることができる。また、リセット信号３２０の前段にリセットの対象となる室外ユニット１０２または複数の室内ユニット１０４ａ〜１０４ｈのアドレスを持つデータ信号３０４を同時に発生させる。室外ユニット１０２及び複数の室内ユニット１０４ａ〜１０４ｈは自分のアドレスが含まれていないリセット信号の受信を拒否し、これにより、正常に動作しない室外ユニットまたは室内ユニットだけがリセット信号に応答してリセットされる。
【００２１】
図４Ａ及び図４Ｂは、図２Ａ及び図２Ｂに示した本発明の一実施例によるマルチ型空気調和機のリセット制御部を示す図である。図４Ａに示すように、比較器４０２ａの非反転入力端(＋)には５Ｖの基準信号が入力され、反転入力端(−)には通信回線１０６を通じて転送される通信信号が入力される。リセット信号は、５Ｖの直流電圧があらかじめ定められた時間(tr)の間保持される電気的特性を持つとし、基準信号もまたこれと同じ電気的特性を持つとする。リセット制御部２０２は、通信回線１０６を通じて転送される通信信号からリセット信号を検出するための装置である。通信回線１０６を通じてリセット信号が受信されると、比較器４０２ａは正(＋)のリセット制御信号２０２ａを発生させてリセット駆動部２０４を駆動する。この場合、リセット駆動部２０４はリセット制御信号２０２ａがリセット信号と同様に一定時間(tr)の間正(＋)の値を保持する場合に限って駆動されるようにすることが好ましい。
【００２２】
図４Ｂは、他のリセット制御部２０２’の構成を示す図であり、遅延リレー４０２ｂを基盤とする。遅延リレー４０２ｂは、特定条件の信号が一定時間の間入力されてはじめて励磁されてターンオンされる特徴を持つので、この遅延リレー４０２ｂを利用して通信信号を受信し、受信される通信信号がリセット信号と同じ電気的特性(例えば５Ｖの直流電圧が一定時間の間保持されること)を持つ時に励磁されてターンオンされることによってリセット制御信号２０２ａを発生させるようにすると、リセット信号にのみ応答してリセット駆動部２０４を駆動できる。
【００２３】
図５ないし図７は、本発明の一実施例による空気調和機の制御方法を示すフローチャートである。まず、図５は、室外ユニット１０２の主導で複数の室内ユニット１０４ａ〜１０４ｈがリセットされる例を示す図である。複数の室内ユニット１０４ａ〜１０４ｈのうち一部または全部の制御部が正常に動作しないと、これを初期化して正常に動作させるようにリセットを行う(５０２段階)。室外ユニット１０２は正常に動作しない室内ユニットをリセットさせるために該当室内ユニットのアドレスデータ信号とリセット信号を発生させる(５０４段階)。制御部２０６が正常に動作しない室内ユニットはリセット信号を直接受信することができないので、その前段のリセット制御部２０２とリセット駆動部２０４がリセット信号に応じて動作して制御部２０６をリセットさせる(５０６段階)。すなわち、正常に動作する室内ユニットはリセット信号に含まれたアドレスが自分のものでないので受信を拒否し、これにより、その他の正常に動作しない室内ユニットにのみリセット信号が入力され、リセットされる。
【００２４】
図６は障害によって電源供給が中断されてから再開される時に室外ユニット１０２及び複数の室内ユニット１０４ａ〜１０４ｈがリセットされる例を示す図である。落雷または異常電圧などの理由から電源供給が中断されると、室外ユニット１０２と複数の室内ユニット１０４ａ〜１０４ｈは全て動作しない(６０２段階)。その後、電源供給が再開されると(６０４段階)、まず、室外ユニット１０２の制御部２１６がリセットされながら再起動する(６０６段階)。図２Ｂに示すように、室外ユニット１０２のリセット駆動部２１４がリセット制御信号２１２ａだけでなく、図１に示した電源供給装置１１６を通じて入力される電源２０８の変化にも応答して室外ユニット１０２の制御部２１６をリセットさせるため、電源供給の再開によって室外ユニット１０２の自動リセットがなされる。一旦室外ユニット１０２がリセットされて再起動すると各室内ユニット１０４ａ〜１０４ｈをトラッキングしながら同時にそれぞれの室内ユニット１０４ａ〜１０４ｈをリセットさせる(６０８段階)。室外ユニット１０２による室内ユニット１０４ａ〜１０４ｈのトラッキングは、室外ユニット１０２が通信を通じてそれぞれの室内ユニット１０４ａ〜１０４ｈが存在するか確認する作業である。この時、室内ユニット１０４ａ〜１０４ｈのリセットは、存在すると確認された室内ユニット１０４ａ〜１０４ｈを対象に行われる。
【００２５】
図７は、室外ユニット１０２の制御部２１６が正常に動作しない時に室外ユニット１０２がリセットされる動作を示す図である。室内ユニット１０４ａ〜１０４ｈとの通信を主導する室外ユニット１０２の制御部２１６が正常に動作しないと、室外ユニット１０２はもちろん、他の室内ユニットもリセットできなくなる(７０２段階)。したがって、図１の１０４ａのように複数の室内ユニット１０４ａ〜１０４ｈの中でいずれか一つをマスタ室内ユニットと設定しておき、室外ユニット１０２が正常に動作しない時にはこのマスタ室内ユニット１０４ａが室外ユニット１０２のリセットを主導するようにする。マスタ室内ユニット１０４ａは正常に動作しない室外ユニット１０２をリセットさせるために室外ユニット１０２にリセット信号を転送する(７０４段階)。室外ユニット１０２は、マスタ室内ユニット１０４ａから転送されたリセット信号に応じてリセットされる(７０６段階)。室外ユニット１０２がリセットされてからは、室内ユニット１０４ａ〜１０４ｈのリセットが室外ユニット１０２の主導で行われ、リセットされた室外ユニット１０２はリセットさせる室内ユニット(つまり、正常に動作しない室内ユニット)が存在するか確認し(７０８段階)、正常に動作しない室内ユニットが存在すると、該当室内ユニットにリセット信号を転送する(７１０段階)。室外ユニット１０２とマスタ室内ユニット１０４ａの両方とも正常に動作しない状況に備えて全ての室内ユニット１０４ａ〜１０４ｈをマスタ室内ユニットに設定するものの、各室内ユニット１０４ａ〜１０４ｈについて優先順位を設定し、優先順位が早い室内ユニットが正常作動しなくなると、その次の優先順位を持つ室内ユニットがマスタ室内ユニットとして動作することによって、リセット制御の安全性を高める。
【図面の簡単な説明】
【００２６】
【図１】本発明の一実施例によるマルチ型空気調和機の構成を示すブロック図である。
【図２Ａ】図１に示した本発明の一実施例によるマルチ型空気調和機の室外ユニットと室内ユニットそれぞれの構成を示すブロック図である。
【図２Ｂ】図１に示した本発明の一実施例によるマルチ型空気調和機の室外ユニットと室内ユニットそれぞれの構成を示すブロック図である。
【図３】図１に示した本発明の一実施例によるマルチ型空気調和機の通信回線を通じて転送されるリット信号の波形を示す図である。
【図４Ａ】図２Ａ及び図２Ｂに示した本発明の一実施例によるマルチ型空気調和機のリセット制御部を示す図である。
【図４Ｂ】図２Ａ及び図２Ｂに示した本発明の一実施例によるマルチ型空気調和機のリセット制御部を示す図である。
【図５】本発明の一実施例による空気調和機の制御方法を示すフローチャートである。
【図６】本発明の一実施例による空気調和機の制御方法を示すフローチャートである。
【図７】本発明の一実施例による空気調和機の制御方法を示すフローチャートである。
【符号の説明】
【００２７】
１０２  室外ユニット
１０４ａ〜１０４ｈ  室内ユニット
１０６  共通回線
１０８  冷媒管
１１６、１１０ａ〜１１０ｈ  電源供給装置
１１２、１１４ａ〜１１４ｈ  遮断器
【図１】
2005140489.tif 000003
【図２Ａ】
2005140489.tif 000004
【図２Ｂ】
2005140489.tif 000005
【図３】
2005140489.tif 000006
【図４Ａ】
2005140489.tif 000007
【図４Ｂ】
2005140489.tif 000008
【図５】
2005140489.tif 000009
【図６】
2005140489.tif 000010
【図７】
2005140489.tif 000011